(57)【特許請求の範囲】
【請求項１】
前面パネルと電子回路基板と電池収納部が形成される後面パネルとを備えるハウジング本体と、
電子回路基板に形成される電子回路であって電子回路基板の端部に設けられる第１接続端子を有する電子回路と、
後面パネルの電池収納部に対して着脱自在に設けられて電子回路に電力を供給する電池と、
ハウジング本体に着脱可能に設けられてハウジング本体から離脱させた状態で電池の交換を可能にする蓋と
第２接続端子を有し、第１接続端子に電気的に接続されるメモリカードとを含み、
ハウジング本体と蓋とを含んで構成されるハウジングが電子回路と電池とメモリカードとを収納するように構成される携帯形電子機器において、
蓋のハウジング本体側に着脱可能にメモリカードが設けられ、
蓋のハウジング本体を臨む表面には、第３接続端子が設けられ、
第３接続端子は、メモリカードが蓋に装着されたとき、第２接続端子に電気的に接続され、かつ蓋がハウジング本体に装着された状態で、ハウジング本体に取付けられた第１接続端子と電気的に接続されることを特徴とする携帯形電子機器。
【請求項２】
蓋は、
蓋本体と、
蓋本体のハウジング本体側に設けられ、メモリカードが着脱可能に設けられる支持体とを含み、
メモリカードには、複数の第２接続端子が、予め定める配列方向に配列され、配列方向に対する左右の形状が非対称となるようにするための第１識別部が形成され、
支持体には、第３接続端子が着脱可能に設けられるとともに、第１識別部に対応して第２識別部が、第１識別部と第２識別部とが対応する状態で設けられ、メモリカードが支持体に装着され、第１識別部と第２識別部とが相互に対応するとき、第２接続端子と第３接続端子とが電気的に接続され、
第１識別部と第２識別部とが相互に対応しない状態で、メモリカードが蓋に装着されたとき、第２接続端子と第３接続端子とが、予め定める接続状態で接続されないことを特徴とする請求項１記載の携帯形電子機器。
【請求項３】
支持体は、
蓋本体に着脱可能に設けられることを特徴とする請求項２に記載の携帯形電子機器。
【請求項４】
支持体は、
蓋本体と一体に形成されることを特徴とする請求項２に記載の携帯形電子機器。
【請求項５】
支持体は、
支持体の底部を構成する支持体底部であってメモリカードを挿入する側に薄肉部が形成される支持体底部と、支持体底部の一方表面に一体的に連なり、支持体底部の端部の両側部付近に対向してそれぞれ設けられる第１および第２支持片と、第１および第２支持片に一体的に連なり、長手方向に沿って延びる第１および第２案内片とを含み、
メモリカードを装着した状態で、メモリカードの挿入方向に対して直交する方向である支持体の幅方向に、薄肉部と第１および第２案内片との弾性変形に基づく弾発力を付与することを特徴とする請求項２または３記載の携帯形電子機器。
【請求項６】
支持体は、
合成樹脂からなり、
支持体の底部を構成する支持体底部と、支持体底部の一端部に一体的に連なって設けられる弾発部材と、支持体底部他端部側に向って突出するように弾発部材に形成される円弧状突起またはハウジング本体側に向って突出するように弾発部材に形成される円弧状突起とを備え、
メモリカードの蓋への装着状態では、合成樹脂からなる円弧状突起によって、メモリカードに支持体の長手方向またはハウジング本体へ向う方向に弾発力を付与することを特徴とする請求項２〜４のいずれかに記載の携帯形電子機器。
【発明の詳細な説明】
【０００１】
【発明の属する技術分野】
本発明は、携帯形電子機器に関し、さらに詳しくはメモリーカードを装着することのできる携帯形電子機器に関する。
【０００２】
【従来の技術】
携帯形電子機器である携帯通信機器、たとえば携帯電話機に関する需要は高まる一途であり、その使用形態についての要求も多種多様なものとなっている。
【０００３】
たとえば、通話相手先の電話番号を登録し、必要時に呼び出して表示部に表示するという、従来から知られた電話番号簿としての使用方法以外にも、通話内容の記録および電話番号以外の個人情報についても記憶させ、必要時に呼び出して表示部に表示するという個人情報データベースとしての使用の要求があり、必要とされる情報の記憶容量も増大している。
【０００４】
さらに、携帯電話機を情報端末として使用することも可能となり、パーソナルコンピュータにて通信した電子メールの内容を記憶させたり、インターネットで検索したホームページの内容を記憶させたりする用途においては、記憶容量のさらなる増大の要求がある。これに対して、従来の携帯電話機のメモリは充分な記憶容量を有していないので、これらの要求に応えることは困難である。
【０００５】
このような携帯電話機の記憶容量増大の要求に関する問題を解決するための先行技術として、特開平１０−１９０８０３号公報が開示されている。
【０００６】
この先行技術は、携帯電話機の複合コネクタ構造に関するものであり、外部信号受渡用接続部を備えた外部インターフェイスコネクタ上に、メモリカード収納部を設けた構成が開示されている。また、メモリカード収納部内に、メモリカードが、メモリカード収納部内に収納されたことを検知するための接触子構造と、収納されたことを検知されたメモリカードに給電を行うための接続部が設けられ、さらに該接触子構造がメモリカードによってオンにされるバッテリ電源回路供給スイッチである構成が開示されている。
【０００７】
【発明が解決しようとする課題】
この先行技術の携帯電話機には、以下のような問題点がある。
【０００８】
メモリカードを電源回路と接続したまま取外しを行うと、異常信号によって収納した記憶情報に異常の発生する場合がある。したがって、電源回路を切断した状態でメモリカードの取外しを行わなければならない。
【０００９】
ここでメモリカードとは、扁平矩形板状の電気的接続端子を有する
Electrically Erasable Programmable Read Only Memory（ＥＥＰ  ＲＯＭ）のことを言う。先行技術では、メモリカード収納部内にメモリカード収納の有無を検知するためのスイッチを設け、さらにこのスイッチを電源回路のオンオフを行うスイッチとすることによって、メモリカードを取外す時の異常発生を防止している。
【００１０】
先行技術の構成では、メモリカード取外し時の異常発生を防止できるけれども、メモリカードの収納を検知するスイッチを必要とする。また検知信号を電源回路に送るための回路も必要とするので、所要部品が多くなり、回路およびスイッチ類の構成が複雑化することは避けられない。
【００１１】
また、外部インターフェイスコネクタ部分には、２次電池充電用コネクタも設けられており、さらにメモリカード収納部を設けることによって、構成が一層複雑なものとなる。構成の複雑なことおよび所要部品の多いことは、携帯電話機製造時の生産効率低下の要因となり、また製造コストを上昇させる要因ともなるものである。
【００１２】
本発明の目的は、簡単な構成でメモリの記憶容量を容易に増大することのできる携帯形電子機器を提供するものである。
【００１３】
【課題を解決するための手段】
請求項１記載の本発明は、前面パネルと電子回路基板と電池収納部が形成される後面パネルとを備えるハウジング本体と、
電子回路基板に形成される電子回路であって電子回路基板の端部に設けられる第１接続端子を有する電子回路と、
後面パネルの電池収納部に対して着脱自在に設けられて電子回路に電力を供給する電池と、
ハウジング本体に着脱可能に設けられてハウジング本体から離脱させた状態で電池の交換を可能にする蓋と
第２接続端子を有し、第１接続端子に電気的に接続されるメモリカードとを含み、
ハウジング本体と蓋とを含んで構成されるハウジングが電子回路と電池とメモリカードとを収納するように構成される携帯形電子機器において、
蓋のハウジング本体側に着脱可能にメモリカードが設けられ、
蓋のハウジング本体を臨む表面には、第３接続端子が設けられ、
第３接続端子は、メモリカードが蓋に装着されたとき、第２接続端子に電気的に接続され、かつ蓋がハウジング本体に装着された状態で、ハウジング本体に取付けられた第１接続端子と電気的に接続されることを特徴とする携帯形電子機器である。
【００１４】
本発明に従えば、携帯形電子機器である携帯通信機器、たとえば携帯電話機の蓋のハウジング本体側に着脱可能にメモリカードを設けることができるので、携帯電話機のメモリの容量を増大したいとき、携帯電話機の蓋をハウジング本体から取外し、蓋のハウジング本体側にメモリカードを装着することができる。電池を覆う外装材であった蓋にメモリカードを着脱可能に設けることができる構成としたので、簡単な構成で携帯電話機のメモリの記憶容量を容易に増大することができる。
【００１６】
また、第３接続端子は、メモリカードを蓋に装着した状態で第２接続端子と電気的に接続し、第１接続端子は蓋をハウジング本体に装着した状態で第３接続端子に電気的に接続されるので、メモリカードを蓋に装着し、蓋をハウジング本体に装着するだけで、メモリカードをハウジング本体の電子回路に電気的に接続することができる。
【００１７】
また、蓋をハウジング本体に装着した状態で、第２接続端子は第３接続端子を経て第１接続端子に接続される。逆に、蓋をハウジング本体から取外すとき、第３接続端子と第１接続端子との電気的接続を確実に断つことができるので、その後の第２接続端子と第３接続端子との接続解除、すなわちメモリカードの蓋からの取外しは電源オフの状態で行うことができる。これによって、メモリカードに収納した記憶情報に異常を起こすことなくメモリカードを蓋から取外すことができる。したがって、前記先行技術のように、メモリカード着脱のとき、メモリカード装着の有無を検知するとともに、さらに電源回路のオンオフを行うスイッチを設ける必要がなく、構成の簡素化が実現できる。
【００１８】
また、蓋のハウジング本体を臨む表面には、第３接続端子が設けられ、第１接続端子と第２接続端子は、第３接続端子を介して電気的接続を行うことによって、互いの接続誤差を吸収することができ、予め定めた配列にしたがって電気的に接続される。また、弾発力のある材料で第３接続端子を形成すれば、端子同志の接触圧力が増加して、電気的接続が確実になる。
【００１９】
また請求項２記載の本発明で、蓋は、
蓋本体と、
蓋本体のハウジング本体側に設けられ、メモリカードが着脱可能に設けられる支持体とを含み、
メモリカードには、複数の第２接続端子が、予め定める配列方向に配列され、配列方向に対する左右の形状が非対称となるようにするための第１識別部が形成され、
支持体には、第３接続端子が着脱可能に設けられるとともに、第１識別部に対応して第２識別部が、第１識別部と第２識別部とが対応する状態で設けられ、メモリカードが支持体に装着され、第１識別部と第２識別部とが相互に対応するとき、第２接続端子と第３接続端子とが電気的に接続され、
第１識別部と第２識別部とが相互に対応しない状態で、メモリカードが蓋に装着されたとき、第２接続端子と第３接続端子とが、予め定める接続状態で接続されないことを特徴とする。
【００２０】
本発明に従えば、支持体には第２識別部が設けられ、メモリカードには第１識別部が第２識別部に対応する状態で設けられるので、メモリカードの表裏および先後端のいずれかを逆にして挿入するとき、第１識別部と第２識別部とが対応せずに、メモリカードが挿入途中で阻止される。したがって、メモリカードの誤装着を防止することができ、第２接続端子と第３接続端子とが予め定める状態で電気的に接続される。
【００２１】
また、本発明に従えば、第３接続端子は支持体に着脱可能に設けられるので、第３接続端子が汚れまたは破損したとき、第３接続端子のみを新たなものに交換することによって、補修することができる。
【００２２】
また請求項３記載の本発明で、支持体は、
蓋本体に着脱可能に設けられることを特徴とする。
【００２３】
本発明に従えば、支持体は、蓋本体に着脱可能に設けられるので、支持体が変形または破損したとき、支持体のみを新たなものに交換することによって、補修することができる。
【００２４】
また請求項４記載の本発明で、支持体は、
蓋本体と一体に形成されることを特徴とする。
【００２５】
本発明に従えば、支持体は、蓋本体と一体に形成されるので、蓋本体と支持体とを別の部品とする場合に比べて、部品数を削減することができる。また支持体と蓋本体とを一体に成形する金型を１個製作するのみでよく、金型コストを抑えることができるとともに生産性の向上に寄与することができる。
【００２６】
また請求項５記載の本発明は、支持体は、
支持体の底部を構成する支持体底部であってメモリカードを挿入する側に薄肉部が形成される支持体底部と、支持体底部の一方表面に一体的に連なり、支持体底部の端部の両側部付近に対向してそれぞれ設けられる第１および第２支持片と、第１および第２支持片に一体的に連なり、長手方向に沿って延びる第１および第２案内片とを含み、
メモリカードを装着した状態で、メモリカードの挿入方向に対して直交する方向である支持体の幅方向に、薄肉部と第１および第２案内片との弾性変形に基づく弾発力を付与することを特徴とする。
【００２７】
本発明に従えば、メモリカードを支持体に装着したとき、メモリカードには、支持体の薄肉部と第１および第２案内片とによって弾発力が付与されているので、メモリカードの揺動を防止し、保持安定性を向上することができる。また、支持体の薄肉部と第１および第２案内片とは、弾発的に変形することができるので、成形された支持体が有する寸法誤差を吸収することができる。
【００２８】
また請求項６記載の本発明は、支持体は、
合成樹脂からなり、
支持体の底部を構成する支持体底部と、支持体底部の一端部に一体的に連なって設けられる弾発部材と、支持体底部他端部側に向って突出するように弾発部材に形成される円弧状突起またはハウジング本体側に向って突出するように弾発部材に形成される円弧状突起とを備え、
メモリカードの蓋への装着状態では、合成樹脂からなる円弧状突起によって、メモリカードに支持体の長手方向またはハウジング本体へ向う方向に弾発力を付与することを特徴とする。
【００２９】
本発明に従えば、支持体に、メモリカードに当接する脱落防止用の円弧状突起が設けられるので、メモリカードを支持体に装着して蓋をハウジング本体に装着したとき、前記円弧状突起がメモリカードに支持体の長手方向またはハウジング本体へ向う方向に弾発力を付与して係止し、メモリカードの脱落を防止することができる。
【００３２】
【発明の実施の形態】
図１は本発明の実施の第１形態である携帯電話機１の蓋５の構成を簡略化して示す斜視図であり、図２は図１に示す蓋５を含む携帯電話機１の全体構成を簡略化して示す分解斜視図である。なお、図２における蓋５はハウジング本体９への装着状態とは表裏を反転して示す。
【００３３】
携帯電話機１は、第１接続端子４４を有する電子回路８と、電子回路８に電力を供給する電池６と、第２接続端子５２を有し第１接続端子４４に電気的に接続されるメモリカード７と、電子回路８と電池６とメモリカード７とを収納するハウジング１０と、第３接続端子１６１とを備える。ハウジング１０は、ハウジング本体９と、ハウジング本体９に着脱可能に設けられ、電池６の交換を可能にする蓋５とを含み、第３接続端子１６１は、蓋５をハウジング本体９に装着した状態でメモリカード７の第２接続端子５２を第１接続端子４４に電気的に接続する。
【００３４】
ハウジング本体９は、大略的に扁平直方体の外観形状を有し、その厚み方向に分割可能に構成される。ハウジング本体９は、一方の分割片である前面パネル２と、電子回路基板３と、他方の分割片である後面パネル４とを含む。ハウジング本体９の長手方向、幅方向および厚み方向を、以後長手方向、幅方向および厚み方向と呼ぶ。
【００３５】
前面パネル２は、合成樹脂製であって、矩形状の前面パネル板２０と、前面パネル板２０の両端部に板面に対してほぼ垂直に一体的に連なる一対の端面板２３，２４と、前面パネル板２０の両側部に板面に対してほぼ垂直に一体的に連なる一対の側面板２５，２６とを含む。一方の端面板２３には、幅方向ほぼ中央に厚み方向内方に延びるロック片３０，３１が設けられ、他方の端面板２４の幅方向ほぼ中央には係止片３２が設けられる。前面パネル２のほぼ中央と長手方向一端部２１との間には、入力情報などを表示する表示窓２８が設けられ、ほぼ中央から他端部２２との間には、電話番号のダイヤルなどのためのキー入力手段２７が設けられる。電子回路基板３は、薄板形状をなし、それぞれの表面に電子回路８が設けられる。
【００３６】
電子回路基板３の他端部４１には、外部電子機器との信号受渡用の外部インターフェイスコネクタ４２が設けられ、外部インターフェイスコネクタ４２には、絶縁部材４３を介して第１接続端子４４が設けられる。図示しないが電子回路８には、受話部、送話部、表示部などの携帯電話機としての主たる機能を有する回路が実装される。
【００３７】
後面パネル４は、合成樹脂製であって、矩形状の後面パネル板６０と、後面パネル板６０の両端部に板面に対してほぼ垂直に一体的に連なる一対の端面板６３，６４と、後面パネル板６０の両側部に板面に対してほぼ垂直に一体的に連なる一対の側面板６５，６６とを含む。後面パネル４の他端部６２においては、端面板６４に切欠部６８が形成され、切欠部６８には外部インターフェイスコネクタ４２が外部に露出して収納される。後面パネル４のほぼ中央と他端部６２との間には、電池収納部７０が設けられる。電池収納部７０は、底板７１と長手方向に延びて対向する側壁７２，７３と幅方向に延びて対向する端壁７４，７５によって構成されるハウジング本体側にくぼんだ空間である。電池収納部７０と他端部６２との間には、電池収納部７０の端壁７４と一体的に連なり端壁７４と略垂直な蓋支持板７８が設けられ、蓋支持板７８にはほぼ中央に幅方向に延びる長方形の透孔６９が設けられる。端壁７５側には、端壁７５と一体的に連なり端壁７５と略垂直であってかつ後面パネル板６０と段差をなして一体的に連なる蓋支持板７７が設けられる。蓋支持板７７は幅方向ほぼ中央にハウジング本体９側にくぼんだ段差部７９を有し、段差部７９と後面パネル板６０との間にロック孔７６が設けられる。後面パネル板６０の端部６１側の一側部には、長手方向に延びる略円筒状のアンテナ収納部６７が設けられる。
【００３８】
前面パネル２と後面パネル４とは、間に電子回路基板３を挟んで組み立てられ、図示しないが後面パネル４のロック孔および係止孔に前面パネル２のロック片３０，３１および係止片３２を挿入することによって、位置決め固定されてハウジング本体９を構成する。ハウジング本体９が組立てられたとき、電子回路基板３に設けられた第１接続端子４４は、後面パネル４の蓋支持板７８に設けられた透孔６９に挿通されて蓋５側に電気的接続面が露出する。
【００３９】
電池６は、ほぼ直方体の形状をなし、充電可能な二次電池である。
蓋５は、蓋本体１０１と、支持体１３０とを含む。蓋本体１０１は、合成樹脂製の大略長方扁平形状を有する部材であり、蓋底板１０２と、蓋底板１０２の一方表面に一体的に連なり蓋底板１０２に対して円弧状部分を介してほぼ垂直に延びる側面板１０３，１０４と端面板１０５および蓋本体１０１の長手方向一端部１１０においては蓋底板１０２に対してほぼ垂直に立上がる端面板１０６を有する。端面板１０６には、端面板１０６の幅方向ほぼ中央部において、蓋底板１０２の長手方向外方に突出したロック片１０７を設ける。他方の端面板１０５には、端面板１０５の幅方向ほぼ中央部において、係止孔１０８を設ける。
【００４０】
蓋底板１０２には、厚み方向外方にくぼんだメモリカード収納部１１１が形成され、メモリカード収納部１１１の両側壁２２７，２２８は長手方向に平行であり、両端壁２２９，２３０は幅方向に平行である。メモリカード収納部１１１のほぼ中央よりも長手方向一端部１１０側の空間は、メモリカード７の装着および取外しに利用される空間であり、メモリカード収納部１１１のほぼ中央よりも他端部１０９側の空間には、支持体１３０が着脱自在に設けられる。
【００４１】
メモリカード７は、矩形平板状の形状を有し、その先端部の一方の角部には、先端に向かうにつれて幅狭になるように第１識別部５１が形成されている。メモリカード７の寸法は、たとえばクレジットカードのほぼ半分程度の大きさで、おおよそ長さが３２ｍｍ、幅が２４ｍｍ、厚さが１．５ｍｍである。
【００４２】
メモリカード７の蓋本体側に臨む面（裏面）の端部には、電子回路８に接続する第２接続端子５２が設けられる。メモリカード７は、矢符１１３に示す方向、すなわち先端部を長手方向他端部に向けて支持体１３０に装着される。
【００４３】
図３は支持体１３０および第３接続端子１６１の概略構成を示す分解斜視図である。支持体１３０は、支持体底部１３１と、支持体底部１３１の一方表面に一体的に連なり、支持体底部１３１の他端部の両側部付近に対向してそれぞれ設けられる第１および第２支持片１３２，１３３と、第１および第２支持片１３２，１３３に一体的に連なり、長手方向に沿って延びる第１および第２案内片１３４，１３５とを含む。支持体底部１３１は、短矩形状を有する平板であり、その他方表面は蓋本体１０１の内面と当接する。支持体底部１３１の他端部付近には、係止孔１３６が形成される。第１および第２支持片１３２，１３３は、大略的に直方体の形状を有する部材であり、相互に対向する面１３７，１３８には、係止溝１３９，１４０がそれぞれ形成される。係止溝１３９，１４０は、支持体底部１３１に平行に、かつ長手方向に沿って延びる。
【００４４】
第１および第２案内片１３４，１３５は、長手方向に沿って延びる部材であり、支持体底部１３１の両側部付近に対向してほぼ平行に設けられる。第１および第２案内片１３４，１３５は、支持体底部１３１に一体的に連なり、支持体底部１３１に対してほぼ垂直に延びる立上がり部１４１，１４２と、立上がり部１４１，１４２に連なり支持体底部１３１の幅方向内方に、かつ支持体底部１３１に対してほぼ平行に延びる押さえ部１４３，１４４とを含む。支持体底部１３１と、立上がり部１４１，１４２と、押さえ部１４３，１４４とによって、支持体１３０の両側部には、略Ｃ字状のメモリカード案内溝１４５，１４６がそれぞれ形成される。略Ｃ字状のメモリカード案内溝１４５，１４６の内側には、メモリカード挿入側端部に幅方向に対向する一対の突起２０１，２０２が設けられる。また、突起２０１，２０２から長手方向他端部側に予め定める間隔をあけて同様の突起２０３，２０４が設けられる。
【００４５】
第３接続端子１６１は、端子部材１６４と、基台１６５とを含み、端子部材１６４は、第１部材１６２ａと第１部材１６２ａと一体的に連なる第２部材１６２ｂとからなる第１端子１６２と、さらに第１端子１６２と一体的に連なる第２端子１６３とからなる。端子部材１６４は、弾発力のある導電性金属材料からなる線状体であり、基台１６５に着脱自在に保持される。第１端子１６２は、略Ｖ字状の形状を有し、端子部材１６４の一方の端部側を形成する。第２端子１６３は、後述の図４に示すように、略Ｍ字状の形状を有し、端子部材１６４の他方の端部側を形成する。
【００４６】
基台１６５は、電気絶縁材料からなり、略Ｃ字状の形状を有する。基台１６５は、長手方向に延びる一対の基台片１７０，１７１と、基台片１７０，１７１の基端部に一体的に連なり、幅方向に延びて基台片１７０，１７１を連結する連結片１７４とを含む。一対の基台片１７０，１７１は、相互に平行に設けられ、連結片１７４は、基台片１７０，１７１に対してほぼ垂直に設けられる。連結片１７４には、長手方向に延びる複数の溝１７３が、基台片１７０，１７１にほぼ平行に形成され、溝１７３には第２端子１６３がそれぞれ装着される。溝１７３は、連結片１７４の一方表面に形成され、第２端子１６３の他端部側終端部は、連結片１７４の一方表面からわずかに突出して装着される。基台片１７０，１７１の連結片１７４と反対側の側部には、長手方向に延びる突部１６８，１６９がそれぞれ形成される。連結片１７４の他方表面には、後述の図４に示す係止突部１７２が設けられる。第３接続端子１６１は、基台１６５の突部１６８，１６９を支持体１３０の第１および第２支持片１３２，１３３の係止溝１３９，１４０にそれぞれ挿入することによって支持体１３０に装着される。
【００４７】
図４は第３接続端子１６１を支持体１３０に係止した状態を示す断面図である。係止突部１７２は支持体底部１３１に設けられた係止孔１３６と係合し、第３接続端子１６１と支持体１３０との間の位置決めが行われる。第３接続端子１６１は、逆の順序で支持体１３０から取外すことができる。したがって、端子部材１６４または基台１６５が汚れ、破損したとき、不具合の発生した部材のみを交換することによって、補修が可能である。
【００４８】
図５は図３に示す支持体１３０の第２識別部１９０の拡大図である。支持体１３０の第１案内片１３４と第１支持片１３２とで形成される角部、すなわちメモリカード案内溝１４５の他端部側終端部には、のど部１９１を有する第２識別部１９０が形成される。第２識別部１９０は、メモリカード７の第１識別部５１の形状に対応する形状に形成され、メモリカード案内溝１４５の空間をすべて充填してもよく、また一部を充填するものであってもよい。
【００４９】
メモリカード７には、複数の第２接続端子５２が、予め定める配列方向に配列され、配列方向に対する左右の形状が非対称となるようにするための第１識別部５１が先端部の一方の角部に形成され、他方の角部には第１識別部５１が形成されない。支持体１３０には、第３接続端子１６１が着脱可能に設けられるとともに、第１識別部５１に対応して第２識別部１９０が、第１識別部５１と第２識別部１９０とが対応する状態で設けられ、メモリカード７が支持体１３０に装着され、第１識別部５１と第２識別部１９０とが相互に対応するとき、第２接続端子５２と第３接続端子１６１とが電気的に接続され、第１識別部５１と第２識別部１９０とが相互に対応しない状態で、メモリカード７が蓋５に装着されたとき、第２接続端子５２と第３接続端子１６１とが、予め定める接続状態で接続されない。
【００５０】
図６は図１の切断面線ＶＩ−ＶＩからみた断面図である。図６は、蓋本体１０１に設けられた支持体１３０にメモリカード７を装着した状態を示すものである。突起２０４は、押さえ部１４４の内面に押さえ部１４４の幅方向長さよりも短く突設された上部突起２０５と、立上がり部１４２に突設された側部突起２０６と、支持体底板１３１に上部突起２０５と同じ幅方向長さに突設された下部突起２０７とからなる。各突起２０５，２０６，２０７は連続して一体に形成されており、支持体１３０とも一体に形成される。上部突起２０５と下部突起２０７とで構成されるメモリカード厚み方向の突起間隔Ｌ１は、メモリカード７の厚さよりもわずかに小さく設定され、側部突起２０６と、それと対をなす反対側の案内溝１４５に設けられた側部突起（図示せず）とで形成するメモリカード幅方向の間隔は、メモリカードの幅よりもわずかに小さく設定される。メモリカード７を支持体１３０に装着したとき、メモリカード７の厚み方向を上部突起２０５と下部突起２０７とによって、また側部を一対の側部突起２０６（他方は図示せず）によって押圧するので、メモリカード７が厚み方向および幅方向に固定され、メモリカード７の脱落を防止することができる。
【００５１】
図７は図１の切断面線ＶＩＩ−ＶＩＩからみた断面図である。図７は、蓋本体１０１に設けられた支持体１３０にメモリカード７を装着した状態を示すものである。突起２０２は、押さえ部１４４の内面に押さえ部１４４とほぼ同じ幅方向長さに突設された上部突起２０８と、立上がり部１４２に突設された側部突起２０９と、支持体底板１３１に上部突起２０８と同じ幅方向長さに突設された下部突起２１０とからなる。各突起２０８，２０９，２１０は連続して一体に形成されており、支持体１３０とも一体に形成される。上部突起２０８および下部突起２１０の厚さは、前記上部突起２０５および下部突起２０７の厚さより厚く形成される。したがって、上部突起２０８と下部突起２１０とで構成されるメモリカード厚み方向の突起間隔Ｌ２は、前記突起間隔Ｌ１よりも小さく、すなわちメモリカード７の厚さよりも小さく形成される。側部突起２０９と、それと対をなす反対側の案内溝１４５に設けられた側部突起（図示せず）とは、前記側部突起２０６と同じ厚さに形成される。したがって、一対の側部突起２０９（他方は図示せず）で形成されるメモリカード幅方向の間隔は、前記側部突起２０６の場合と同じくメモリカードの幅よりもわずかに小さく設定される。
【００５２】
上部突起２０８と下部突起２１０とによって形成される突起間隔Ｌ２は、突起間隔Ｌ１よりも小さい、すなわちメモリカード７の厚さよりも小さいことから、メモリカード７を支持体１３０に装着したとき、メモリカード７の端部は上部突起２０８と下部突起２１０とによって係止され、メモリカード７の側部は一対の側部突起２０９（他方は図示せず）によって押圧されるので、メモリカード７が長手方向および幅方向に固定され、メモリカード７の脱落を防止することができる。
【００５３】
図８は図１の切断面線ＶＩＩＩ−ＶＩＩＩからみた断面図である。図８は、蓋本体１０１に設けられた支持体１３０にメモリカード７を装着した状態をさらに説明するためのものである。案内溝１４５の内側に設けられた突起２０３の上部突起２１１と下部突起２１３とによって形成される突起間隔Ｌ３は、前記突起間隔Ｌ１と同一であり、メモリカード７の厚さよりわずかに小さいので、支持体１３０に装着されたメモリカード７を厚み方向に押圧し脱落を防止する。突起２０１の上部突起２１４と下部突起２１６とによって形成される突起間隔Ｌ４は、前記突起間隔Ｌ２と同一であり、突起間隔Ｌ１，Ｌ３より小さく、すなわちメモリカード７の厚さより小さいので、支持体１３０に矢符１１３で示す方向に挿入して装着されたメモリカード７の端部を係止し脱落を防止する。
【００５４】
メモリカード７の携帯電話機１への装着は、以下のごとく行う。
メモリカード７を蓋本体１０１のメモリカード収納部１１１に入れ、支持体１３０のメモリカード案内溝１４５，１４６に沿ってメモリカード７を挿入し、支持体１３０に装着する。支持体１３０に装着された状態で第２接続端子５２は、第３接続端子１６１の第１端子１６２に接続される。電池６をハウジング本体９の後面パネル４の電池収納部７０に装着し、メモリカード７を支持体１３０に装着した状態、すなわちメモリカード７を蓋５に装着した状態で、蓋５をハウジング本体９に装着すると、第２接続端子５２は、第１端子１６２および第２端子１６３を経て、ハウジング本体９に取付けられた第１接続端子４４と接続される。第１接続端子４４は、電子回路８に電気的に接続されているので、メモリカード７を蓋５に装着した状態で、蓋５をハウジング本体９に装着することによって、メモリカード７と電子回路８との電気的接続を行うことができる。
【００５５】
図９はメモリカード７を装着したときの接続状態を簡略化して示す図である。支持体１３０に装着された第２接続端子５２は、第３接続端子１６１の第１端子１６２と接続され、第１端子１６２は第２端子１６３と一体的に連なっており、第２端子１６３は、ハウジング本体９に取付けられ電子回路８に電気的に接続されている第１接続端子４４に接続されてメモリカード７と電子回路８との電気的接続が行われる。
【００５６】
携帯電話機１の操作時には、メモリカード７に記憶されている情報は、第２接続端子５２から第３接続端子１６１の第１端子１６２、第２端子１６３およびハウジング本体９に取付けられた第１接続端子４４を経て電子回路８へ送られ、電子回路８へ与えられた情報は、逆の経路にてメモリカード７へ送られ記憶される。
【００５７】
メモリカード７を携帯電話機１から取外すには、蓋５をハウジング本体９から取外し、次いでメモリカード７を蓋本体１０１に設けられた支持体１３０から取外す。このとき、蓋５をハウジング本体９から取外すことによって、第３接続端子１６１の第２端子１６３とハウジング本体９に設けられた第１接続端子４４との電気的接続を確実に断つことができるので、その後の第２接続端子５２と第３接続端子１６１との接続解除、すなわちメモリカード７の蓋５からの取外しは電源オフの状態で行うことができる。これによって、メモリカード７に記憶されている情報に異常を起こすことがない。したがって、メモリカード７の装着を検知し、電源回路のオンオフを行うスイッチ類および回路が不要であり、携帯電話機１の蓋５にメモリカード７の着脱可能な支持体１３０を設けるという簡単な構成でメモリの容量を容易に増大することができる。
【００５８】
第１接続端子４４と第２接続端子５２とは、予め定める方向に配列され、それぞれが対応するように電気的接続が行われる。第１接続端子４４と第２接続端子５２とを接続するとき、まず第１接続端子４４は、第３接続端子１６１を構成する線状体であって複数からなる第２端子１６３と接続されることによって、配列された第１接続端子の予め定める方向における接続誤差が吸収される。同様に、第２接続端子は第３接続端子１６１を構成する線状体である第１端子１６２と接続されることによって、接続誤差が吸収される。したがって、蓋５のハウジング本体９を臨む表面に第３接続端子が設けられ、第１接続端子と第２接続端子とは、第３接続端子を介して電気的接続を行うことによって、接続誤差を吸収することができ、予め定めた配列にしたがって電気的に接続される。また、第３接続端子１６１の端子部材１６４は、弾発力のある金属製導電材料からなるので、端子同志の接触圧力が増加して、電気的接続が確実になる。
【００５９】
図１０は蓋５の概略構成を示す分解斜視図である。本実施の形態では、支持体１３０は蓋本体１０１に着脱可能に設けられる。
【００６０】
前述のように蓋本体１０１は、ハウジング本体９側にメモリカード収納部１１１を備える。メモリカード収納部１１１の底板１１２のハウジング本体９に臨む表面には、長手方向中間に幅方向に延びる支持体係止用突起２２１が突設される。底板１１２には、長手方向他端部２３１側の端壁２３０付近に幅方向に延びる支持体係止用突起２２４が突設される。また、メモリカード収納部１１１の側壁２２７，２２８の長手方向中間付近には、長手方向に平行に延びる支持体係止用突起２２２，２２３が突設され、支持体係止用突起２２２，２２３と端壁２３０との間には、側壁２２７，２２８付近に長手方向に平行に延びる支持体装着用案内部２２５，２２６がそれぞれ突設される。支持体装着用案内部２２５，２２６の軸直角断面形状は、逆Ｌ字状である。
【００６１】
支持体底部１３１の両側部１４７，１４８が、支持体装着用案内部２２５，２２６と底板１１２との間の隙間に挿入されると、支持体底部１３１の側面が係止突起２２２，２２３によって係止され、支持体底部１３１の第３接続端子１６１を有する側の他端部が係止突起２２４によって係止され、一端部が係止突起２２１によって係止されて、支持体１３０の蓋本体１０１への装着と位置決めが行われる。支持体１３０が蓋本体１０１に着脱可能に設けられるので、支持体１３０が変形または破損したとき、支持体１３０のみを新たなものに交換することによって補修することができる。
【００６２】
以上に述べたように、本発明の第１の実施形態によれば、携帯電話機１の蓋５にメモリカードの着脱可能な支持体１３０を設けるという簡単な構成でメモリの容量増大を容易に達成することができる。また、第３接続端子１６１を支持体１３０に着脱可能な構成とし、支持体１３０を蓋本体１０１に着脱可能な構成としたことによって、第３接続端子１６１および支持体１３０が汚れ、破損したとき、第３接続端子１６１および支持体１３０のみの交換によって補修をすることができる。さらに、メモリカード７には第１識別部５１を設け、支持体１３０に第２識別部１９０および突起２０１，２０２，２０３，２０４を設けたことによって、メモリカード７の誤装着を防止することができ、また装着したメモリカード７の脱落を防止することができる。
【００６３】
本発明の第１実施形態に類似する実施の形態として、支持体に弾発力を付与する手段を設けてもよい。図１１は本発明の第２の実施の形態である携帯電話機の蓋の支持体１５０の構成を簡略化して示す斜視図である。本実施の形態の支持体１５０は、実施の第１形態の支持体１３０と類似し、対応する部分には同一の参照符号を付して説明を省略する。支持体１５０は、支持体底部１３１のメモリカードを挿入する側に弾発力付与手段である薄肉部２８０を形成する。薄肉部を設ける表面は、ハウジング本体９に臨む面および蓋本体１０１に接する面のいずれであってもよい。
【００６４】
図１１中のハッチングを施した部分は、支持体底部１３１に形成した薄肉部２８０である。支持体１５０の材質としては、たとえば合成樹脂が好適に用いられる。合成樹脂は厚肉の場合剛性が強く弾発力をほとんど発現しないが、薄肉にすると剛性が弱くなり弾発力を発現する。支持体底部１３１に薄肉部２８０を形成することによって、支持体１５０の幅方向に弾発力が付与される。
【００６５】
弾発力を付与した支持体１５０の支持体底部１３１と第１および第２案内片１３４，１３５とが構成する内寸法を、メモリカード７よりもわずかに小さく形成することによって、メモリカード７をメモリカード案内溝１４５，１４６に沿って挿入して支持体１５０に装着するとき、支持体１５０はメモリカード７によって幅方向に広げられ、メモリカード７は支持体１５０の弾発力によって拘束されるので、メモリカード７の揺動が防止され保持安定性を向上することができる。その他の構成は、第１の実施形態と同一である。
【００６６】
本発明の第２の実施形態では、支持体底部１３１に薄肉部２８０を形成して、メモリカード７に弾発力を付与するように構成されている。本発明における弾発力付与手段は、第２の実施形態に限定されることなく、他の構成であってもよい。たとえば、薄肉部２８０を省略して支持体底部１３１のメモリカード７を挿入する側に切吹き（図示せず）を形成することによって、メモリカード７に弾発力を付与してもよい。
【００６７】
このように薄肉部２８０を省略すると、第１および第２案内片１３４，１３５には弾発力が発現するので、メモリカード７を支持体に装着するとき、メモリカード７には弾発力が付与され、前述のようにメモリカード７の保持安定性が向上する。また、第１および第２案内片１３４，１３５は、弾発的に変形することができるので、成形された支持体が有する寸法誤差を吸収することができる。
【００６８】
図１２は本発明の第３の実施の形態である携帯電話機の蓋の支持体１５１の構成を簡略化して示す斜視図である。本実施の形態の支持体１５１は、実施の第１形態の支持体１３０と類似し、対応する部分には同一の参照符号を付して説明を省略する。支持体１５１は、支持体底部１３１の一端部１５５に一体的に連なる弾発力付与手段である弾発部材２９０を有する。弾発部材２９０は、支持体底部１３１に対してほぼ垂直に立上がるとともに幅方向に延びる。該弾発部材２９０には、長手方向他端部１５６側に向かって突出した円弧状突部２９１が形成され、円弧状突部２９１が支持体１５１の長手方向に弾発力を付与する。
【００６９】
弾発部材２９０付近の支持体底部１３１の幅寸法は、メモリカード７を支持体１５１に装着するとき、支持体底部１３１がメモリカードの厚み方向に弾性変形可能となるように、メモリカード７の幅に比べて小さく設定することが望ましい。
【００７０】
メモリカード７をメモリカード案内溝１４５，１４６に沿って挿入するとき、弾発部材２９０はメモリカード７によって厚み方向に押し下げられるので、メモリカード７を支持体１５１に装着することができる。支持体１５１に装着されたメモリカード７は、弾発部材２９０に形成された円弧状突部２９１の弾発力によって第３接続端子１６１側に向けて押圧され、メモリカード７は長手方向を第３接続端子１６１と円弧状突部２９１との間で拘束されるので、メモリカード７の揺動が防止されて保持安定性を向上することができる。その他の構成は、第１の実施形態と同一である。
【００７１】
図１３は本発明の第４の実施の形態である携帯電話機の蓋の支持体１５２の構成を簡略化して示す斜視図である。本実施の形態の支持体１５２は、実施の第１形態の支持体１３０と類似し、対応する部分には同一の参照符号を付して説明を省略する。
【００７２】
支持体１５２は、支持体底部１３１のメモリカード挿入側に一体的に連なり長手方向に延びる弾発力付与手段である弾発部材３００を有する。該弾発部材３００には、幅方向に延びかつハウジング本体９側に向かって突出した円弧状突部３０１が形成される。弾発部材３００に形成された円弧状突部３０１が、支持体１５２の厚み方向に弾発力を付与する。メモリカード７をメモリカード案内溝１４５，１４６に沿って挿入して支持体１５２に装着したとき、メモリカード７は弾発部材３００に形成された円弧状突部３０１の弾発力によってハウジング本体９側に向けて押圧され、メモリカード７は厚み方向をそれぞれの案内片１３４，１３５と円弧状突部３０１との間で拘束されるので、メモリカード７の揺動が防止されて保持安定性を向上することができる。その他の構成は、第１の実施形態と同一である。
【００７３】
本発明の第５の実施の形態として、蓋本体と支持体とを一体形成してもよい。図１４は本発明の実施の第５形態である携帯電話機の蓋３５０の概略構成を示す分解斜視図である。本実施の形態の蓋３５０は、実施の第１形態の蓋５と類似し、対応する部分には同一の参照符号を付して説明を省略する。蓋３５０は、蓋本体３５１と支持体２５１とを備える。注目すべきは、蓋本体３５１と支持体２５１とが一体的に形成されている点である。蓋本体３５１の構成は、メモリカード収納部１１１の底板１１２の他端部付近に係止凹所２６１が形成されている点を除いて、前記蓋本体１０１の構成と同一である。支持体２５１の構成は、支持体１３０の構成と類似し、支持体１３０の底板１３１が省略され、第１および第２支持片１３２，１３３と、第１および第２案内片１３４，１３５と、突起２０１，２０２，２０３，２０４とが、メモリカード収納部１１１の底板１１２に直接一体的に設けられている点を除いて、前記支持体１３０と同一の構成を有する。
【００７４】
第３接続端子１６１は、前記第１の実施の形態と同様に、支持体２５１の第１および第２支持片１３２，１３３に着脱可能に装着される。第３接続端子１６１の裏面に形成された係止突部１７２が、底板１１２に設けられた係止凹所２６１と係合し、コネクタ１６１の装着と位置決めが行われる。その他の構成は、第１の実施の形態と同一である。
【００７５】
本実施形態では、支持体２５１が蓋本体３５１と射出成形によって一体に形成されているので、蓋本体３５１と支持体２５１とを別の部品とする場合に比べて、部品数が少なくてすみ、また蓋本体３５１と支持体２５１とを一体に射出成形する金型を１個製作するのみでよく、金型コストを低く抑えることができるとともに、生産性の向上に寄与することができる。
【００８２】
以上述べたように、本発明の実施の形態では、第３接続端子は、端子部材と基台とを含んで構成されているけれども、これに限定されるものではなく他の構成であってもよい。
【００８３】
蓋は、蓋本体と支持体とを含んで構成されているけれども、これに限定されるものではなく他の構成であってもよい。また、メモリカードには、第１識別部が形成され、支持体には、第２識別部が形成されているけれども、これに限定されるものではなく第１および第２識別部が形成されてなくてもよい。また支持体には、メモリカード脱落防止用の突起が設けられているけれども、これに限定されるものではなく突起が設けられてなくてもよい。
【００８４】
【発明の効果】
請求項１記載の本発明によれば、携帯形電子機器である携帯通信機器、たとえば携帯電話機の蓋のハウジング本体側に着脱可能にメモリカードを設けることができるので、携帯電話機のメモリの容量を増大したいとき、携帯電話機の蓋をハウジング本体から取外し、蓋のハウジング本体側にメモリカードを装着することができる。電池を覆う外装材であった蓋にメモリカードを着脱可能に設けることができる構成としたので、簡単な構成で携帯電話機のメモリの記憶容量を容易に増大することができる。
【００８５】
また、第３接続端子は、メモリカードを蓋に装着した状態で第２接続端子と電気的に接続し、第１接続端子は蓋をハウジング本体に装着した状態で第３接続端子に電気的に接続されるので、メモリカードを蓋に装着し、蓋をハウジング本体に装着するだけで、メモリカードをハウジング本体の電子回路に電気的に接続することができる。また、蓋をハウジング本体に装着した状態で、第２接続端子は第３接続端子を経て第１接続端子に接続される。逆に、蓋をハウジング本体から取外すとき、第３接続端子と第１接続端子との電気的接続を確実に断つことができるので、その後の第２接続端子と第３接続端子との接続解除、すなわちメモリカードの蓋からの取外しは電源オフの状態で行うことができる。これによって、メモリカードに収納した記憶情報に異常を起こすことなくメモリカードを蓋から取外すことができる。したがって、先行技術のように、メモリカード着脱のとき、メモリカード装着の有無を検知するとともに、さらに電源回路のオンオフを行うスイッチを設ける必要がなく、構成の簡素化が実現できる。
【００８６】
また、蓋のハウジング本体を臨む表面には、第３接続端子が設けられ、第１接続端子と第２接続端子は、第３接続端子を介して電気的接続を行うことによって、互いの接続誤差を吸収することができ、予め定めた配列にしたがって電気的に接続される。また、弾発力のある材料で第３接続端子を形成すれば、端子同志の接触圧力が増加して、電気的接続が確実になる。
【００８７】
また、請求項２記載の本発明によれば、支持体には第２識別部が設けられ、メモリカードには第１識別部が第２識別部に対応する状態で設けられるので、メモリカードの表裏および先後端のいずれかを逆にして挿入するとき、第１識別部と第２識別部とが対応せずに、メモリカードが挿入途中で阻止される。
【００８８】
したがって、メモリカードの誤装着を防止することができ、第２接続端子と第３接続端子とが予め定める状態で電気的に接続される。また、第３接続端子は支持体に着脱可能に設けられるので、第３接続端子が汚れまたは破損したとき、第３接続端子のみを新たなものに交換することによって、補修することができる。
【００８９】
また、請求項３記載の本発明によれば、支持体は、蓋本体に着脱可能に設けられるので、支持体が変形または破損したとき、支持体のみを新たなものに交換することによって、補修することができる。
【００９０】
また、請求項４記載の本発明によれば、支持体は、蓋本体と一体に形成されるので、蓋本体と支持体とを別の部品とする場合に比べて、部品数を削減することができる。また、支持体と蓋とを一体に成形する成形金型を１個製作するのみでよく、生産性の向上に寄与することができる。
【００９１】
また、請求項５記載の本発明によれば、メモリカードを支持体に装着したとき、メモリカードには、支持体の薄肉部と第１および第２案内片とによって弾発力が付与されているので、メモリカードの揺動を防止し、保持安定性を向上することができる。また、支持体の薄肉部と第１および第２案内片とは弾発的に変形することができるので、成形された支持体が有する寸法誤差を吸収することができる。
【００９２】
また、請求項６記載の本発明によれば、支持体に、メモリカードに当接する脱落防止用の円弧状突起が設けられるので、メモリカードを支持体に装着して蓋をハウジング本体に装着したとき、前記円弧状突起がメモリカードに支持体の長手方向またはハウジング本体へ向う方向に弾発力を付与して係止し、メモリカードの脱落を防止することができる。
【図面の簡単な説明】
【図１】  本発明の実施の第１形態である携帯電話機１の蓋５の構成を簡略化して示す斜視図である。
【図２】  図１に示す蓋５を含む携帯電話機１の全体構成を簡略化して示す分解斜視図である。
【図３】  支持体１３０および第３接続端子１６１の概略構成を示す分解斜視図である。
【図４】  第３接続端子１６１を支持体１３０に係止した状態を示す断面図である。
【図５】  図３に示す支持体１３０の第２識別部１９０の拡大図である。
【図６】  図１の切断面線ＶＩ−ＶＩから見た断面図である。
【図７】  図１の切断面線ＶＩＩ−ＶＩＩから見た断面図である。
【図８】  図１の切断面線ＶＩＩＩ−ＶＩＩＩから見た断面図である。
【図９】  メモリカード７を装着したときの接続状態を簡略化して示す図である。
【図１０】  蓋５の概略構成を示す分解斜視図である。
【図１１】  本発明の第２の実施形態である携帯電話機の蓋の支持体１５０の構成を簡略化して示す斜視図である。
【図１２】  本発明の第３の実施の形態である携帯電話機の蓋の支持体１５１の構成を簡略化して示す斜視図である。
【図１３】  本発明の第４の実施形態である携帯電話機の蓋の支持体１５２の構成を簡略化して示す斜視図である。
【図１４】  本発明の実施の第５形態である携帯電話機の蓋３５０の概略構成を示す分解斜視図である。
【符号の説明】
１  携帯電話機
２  前面パネル
３  電子回路基板
４  後面パネル
５，３５０  蓋
６  電池
７  メモリカード
８  電子回路
９  ハウジング本体
１０  ハウジング
４４  第１接続端子
５１  第１識別部
５２  第２接続端子
１０１，３５１  蓋本体
１１１  メモリカード収納部
１３０，１５０，１５１  支持体
１６１  第３接続端子
１６４  端子部材
１６５  基台
１９０  第２識別部
２０１，２０２，２０３，２０４  突起
２８０  薄肉部
２９０，３００  弾発部材
２９１，３０１  円弧状突部
【図１】
0003691727.tif 000002
【図２】
0003691727.tif 000003
【図３】
0003691727.tif 000004
【図４】
0003691727.tif 000005
【図５】
0003691727.tif 000006
【図６】
0003691727.tif 000007
【図７】
0003691727.tif 000008
【図８】
0003691727.tif 000009
【図９】
0003691727.tif 000010
【図１０】
0003691727.tif 000011
【図１１】
0003691727.tif 000012
【図１２】
0003691727.tif 000013
【図１３】
0003691727.tif 000014
【図１４】
0003691727.tif 000015